(57)【要約】携帯用コンピュータ用のカバーおよびキャリング装置であり、コンピュータ外側面を覆う下面（４）および上面（６）から形成され、平行六面体の形状で、コンピュータ後ろに配置された接続やポートにアクセスするための少なくとも一つの開口部（１０）を有する側面（８）で曲げることができる。下面（４）および／あるいは上面（６）はスライド溝（４０）を有し、その中に環状に締められたスライドベルト（４２）が通される。前記スライド溝は前記スライドベルトをスライドさせ希望の高さ位置に調節し、これによってポート（ＵＳＢ、ＲＪ４５）や読取装置（ＤＶＤ、ＣＤ、フロッピーディスク）へのアクセスを可能とする。【選択図】  図１
2009515245.tif 000002
【特許請求の範囲】
【請求項１】
コンピュータ外側面を覆う下面（４）および上面（６）から形成され、側面（８）で曲がる携帯用コンピュータ用のカバーおよびキャリング装置であり、コンピュータの背面に位置する接続およびポートへのアクセスを可能にする開口部（１０）を有し、下面（４）および／または上面（６）にスライド溝（４０）を有し、その中に環状に締められたスライドベルト（４２）が通され、前記スライド溝（４０）は、モデルにより異なる配置に応じて、ベルトの位置を希望の高さに調節し、これによって携帯用コンピュータの様々な機能、例えばポート（ＵＳＢ、ＲＪ４５）および読取装置（ＤＶＤ、ＣＤ、フロッピーディスク）への自由なアクセス、キーボードのキー全体とマウスへのアクセスを可能にすることができることを特徴とする。
【請求項２】
平行六面体の面（４、６）は、平面形であり、このためコンピュータが開いていても、あるいは閉まっていてもその側面（１２、１４）へ自由にアクセスすることができることを特徴とする請求項１に記載された装置。
【請求項３】
面（４、６）は複数の層から構成され、かかる層の一つ（５２）はくぼみ（６４）を有し、ここに取手（３６）が装入可能であることを特徴とする請求項１に記載された装置。
【請求項４】
面の層の一つに挿入可能な閉留システムを有することを特徴とする請求項１に記載された装置。
【請求項５】
取手（３６）が、面につながった取手を維持するために取手が挿入されるくぼみの口（６６）よりも広い端（６２）を有することを特徴とする請求項２もしくは３記載の装置。
【請求項６】
取手（３６）が面と同じ厚さの薄さで、および／あるいは平らで、これにより面の平面的外観と、下面（４）におかれるコンピュータの安定性が維持されることを特徴とする請求項５記載の装置。
【請求項７】
上面（６）は伸縮性のある固定ベルト（１６）を有し、これはコンピュータの厚さを含み、十分な薄さで、前記固定システムを動かしたり、あるいは触ったりすることなく、コンピュータの開閉を行うことができることを特徴とする請求項１に記載された装置。
【請求項８】
面により形成される角と面の外面側に、カバーを垂直の位置に立たせることを可能にするパッドを有する保護強化ゾーンを有することを特徴とする請求項１に記載された装置。
【請求項９】
スライド溝（４０）が直線であることを特徴とする請求項１に記載された装置。
【請求項１０】
スライド溝（４０）は互いに平行であることを特徴とする請求項１に記載された装置。
【請求項１１】
スライドベルト（４２）は一部または全部がゴム（４４）であり、そのためコンピュータを収容し、その型に適応することを特徴とする請求項1に記載された装置。
【請求項１２】
携帯用コンピュータの使用時と同じ位置にベルト（４２）を維持しつつ、使用者が携帯用コンピュータを閉めることができるように、スライドベルト（４２）は十分に細いことを特徴とする請求項１に記載された装置。
【請求項１３】
スライドベルト（４２）は環状に締められ、ベルトの非ゴム部分が見えるようにし、層（５０）と層（５８）の間に作られた溝の中を通るベルトのゴム部（４４）は見えないようにすることを特徴とする請求項１に記載された装置
【請求項１４】
取手に強化棒（６８）が備えられており、その機能は取手（３６）を手に持つ際に、コンピュータの重さによって起こる変形を防ぐため取手（３６）を強化するものであることを特徴とする請求項１に記載された装置。
【発明の詳細な説明】
【技術分野】
【０００１】
本発明は携帯用コンピュータのカバーおよび輸送に関する装置であり、装置はコンピュータ後ろに位置する接続およびポートへのアクセスを可能せしめる少なくとも一つの開口部を含む側面で曲がる、コンピュータ外側面を覆う平行六面体の下面および上面を有するものである。
【０００２】
このタイプの一つの装置があることは (公開特許抄録第2000巻、第11号) 既知である。この文献は携帯用コンピュータのキャリングケースを叙述している。しかしながら、側面、およびコンピュータの前面はアクセス不可能で、それらの面にある様々な差込み口にアクセスするため、コンピュータを取出す必要があるものである。さらに、コンピュータはキャリングケースの中に固定されていない。そして、それは挿入式取手を有しないものである。
【特許文献１】公開特許抄録第2000巻、第11号
【発明の開示】
【０００３】
本発明は、かかる支障を改善する携帯用コンピュータ用のカバーおよびキャリング装置を目的とする。これらの目的は、発明に従い、下面および／もしくは上面がスライド溝を有し、その中に環状に締められたスライドベルトが通され、前記スライド溝は、モデルによる異なる配置に応じて、携帯用コンピュータのポート（USB、RJ-45）および読取装置(DVD、CD、フロッピーディスク)への自由なアクセス、またキーボードのキー全体とマウスへのアクセスを可能にするためスライドによりスライドベルトを希望の位置の高さに調節することができることにより達成される。
【０００４】
前記スライド溝は好ましくは直線で双方が平行する。
【０００５】
スライドベルトはゴムの部分を有利に含み、かくして携帯用コンピュータをそのサイズに合わせながら収容することができる。他の変形において、それは完全にゴムでもありうる。
【０００６】
固定したスライドベルトを携帯用コンピュータの使用時と同じ位置に保ち続けつつ、使用者に携帯用コンピュータを閉じることができるように、スライドベルトは有利に十分に細い。
【０００７】
発明装置のかかる特徴により、以下が可能である。
【０００８】
-  異なるサイズ、デザイン、寸法および異なる読取装置 (フロッピーディスク、CD、DVD) やキーボードの位置に応じた携帯用コンピュータのあらゆるタイプのケースもしくはカバーを固定する。
【０００９】
-  携帯用コンピュータの固定を保ちつつ、スライドベルとの位置を調節しつつ全てのポート（USB、電源、RJ-45、プリンタ、イーサネットカード（登録商標）およびその他）および異なる読取装置 (フロッピーディスク、CD、DVD) へのアクセスができ、ただしまたモデルに応じた異なるキーボードのキーやマウス全体にもアクセスできる。
【００１０】
-  携帯用コンピュータを使用するために、ただしまた固定を手動で変更せずとも携帯用コンピュータを閉めることができるようにケースを常に携帯用コンピュータに固定して保つ。
【００１１】
平行六面体の面は、コンピュータが開いていても、もしくは閉まっていてもその側面へ自由にアクセスすることができるように好ましくは平面の形である。
【００１２】
この特徴により、本発明は多数の追加利点を提供する。
【００１３】
-  本発明は携帯用コンピュータを外側面上に起こりうる傷やその他の損害から保護することが可能である。
【００１４】
-  本発明は携帯用コンピュータの通常の使用および持運びに対し、携帯用コンピュータを単に開閉するだけでその持運びあるいは使用ができるようにカバーが携帯用コンピュータ上に固定されていることから、持ち運びケースへの挿入を避け、携帯用コンピュータの使用もしくは持運びを容易にする。
【００１５】
-  本発明はカバーがより薄く、より軽く、またより美的であるので、携帯用コンピュータの持運びに対し、最高のエルゴノミーを可能にする。
【００１６】
-  本発明は携帯用コンピュータ上のキャリングカバーを維持しつつ、携帯用コンピュータのあらゆるポート (USB、電源、RJ-45、プリンタ、イーサネットカード（登録商標）およびその他) および異なる読取装置 (フロッピーディスク、CD、DVD) へのアクセスをいつでも可能にする。
【００１７】
好ましくは面は複数の層から構成され、かかる層の一つはくぼみを有し、その中に取手が挿入可能とする。
【００１８】
スライドベルトは好ましくは環状に締められ、ベルトの非ゴム部分を見えるようにし、層の間に作られた溝の中を通るベルトのゴム部は見えないようにする。
【００１９】
面につながった取手を維持するために、取手は、取手が挿入されるくぼみの口よりもより広い端を有利に有する。
【００２０】
さらに有利に、上面はその外側の角にコンピュータの厚さを収容でき、コンピュータを閉めるため十分に細い紐を有する。
【００２１】
さらに有利に、また本発明の特有の実施形態において、面がその平面な外観を維持し、またとりわけ下面に置かれるコンピュータの安定性を維持するため、取手は面の厚さと同じ厚さである。
【００２２】
ばねが取手の出る位置に置くため有利に用意される。クリップがそれを閉まった位置に維持する。取手を出すには、クリップをはずすために取手に圧力をかける。しかして取手はばねの圧力により出る。
【００２３】
本発明の特有の実施形態において、装置は面により形成される角のところと面の外側面に、カバーを垂直の位置に置くことを可能さしめるパッドを含む保護強化のゾーンを有する。
【００２４】
携帯用コンピュータのカバーおよびキャリング装置は、コンピュータ後ろにある接続およびポートへのアクセスを可能さしめる開口部を少なくとも一つ有する側面を有利に含む。
【００２５】
本発明の特有の実施形態において、下面はコンピュータプロセッサー冷却用の空気の通過を可能にしつつ、コンピュータの換気向上にあてられた換気ゾーン22を含む。この換気ゾーンは、限定されない例として、下面の表面の切抜きにより形成され、かかる切抜きは細い保護格子24により覆われる。空気到達路は、下面の表面に有利に用意される。
【００２６】
そのために、および本発明の特有の実施形態において、すべての層は換気ゾーンの形および場所に応じて孔があけてある。層は特徴としてこの同じゾーンに在り、部分的に孔があけてある(格子タイプもしくは複数の穴)。
【００２７】
本発明の特有の実施形態において、下面もしくは上面はその表面にカバーおよびキャリング装置の内側に携帯用コンピュータを効果的に維持さしめ、面を閉めた状態で維持さしめる固定システムを含む。
【００２８】
限定されない例として、この固定システムはベルトを含み、そのベルト上にはプレスボタンが置かれる。反対側の面上、およびその面上と同じ高さには同じくプレスボタンがあり、プレスもしくはベルクロ（登録商標）またはその他の方法(磁石等)のボタンを受け、またかくして閉じる仕掛けを閉じることを可能とする。このベルトは、面の裏地の内部に組込まれている部分を含み、コンピュータが使用状態で、カバーおよびキャリング装置が開かれた状態にある際、目立たないように面上に置かれる。
【００２９】
このベルトはプレスボタンにカバーおよびキャリング装置の閉鎖を連動させつつ、ベルトの外側部分が伸びるように、同じくスライドする。
【００３０】
ベルトは同じく、その裏地内部に位置する部分の先端に、面の裏地において固定されたベルトを維持するようにベルトの幅より広い形を有利に有する。
【００３１】
その他の特徴および利点は、さらに以下の参照図に続く描写を読むことでさらに明らかになるであろう。
【００３２】
図表１および２における、かかる全体が符号2で示されている携帯用コンピュータのカバーおよびキャリング装置は下面4および上面6を有する。下面4はコンピュータの下面を覆うためのものであり、上面6はコンピュータ (図には無し) の上面を覆うためのものである。下の表面4および上の表面6は双方が丸みのついた、あるいはわずかに平面の形の側面8を介してつながれている。側面はゾーンの一部もしくは全体に少なくとも一つの開口部10（示された例では開口部は二つ）、および／もしくは一つもしくは複数のファスナーおよび／もしくはベルクロ・ファスナー（登録商標）(図には無し)を有する。限定されない例として、開口部10は長方形である。開口部はコンピュータ後ろに位置する接続およびポートへのアクセスを可能とする。
【００３３】
平行六面体の面4および6は、携帯用コンピュータの小さい側面12および大きい側面14に自由にアクセスできるように平面の形である。
【００３４】
平行六面体の上面6は、表された例において外側の角に固定紐16を有する。かかる固定紐は、コンピュータの厚さを収容し、固定紐をずらさなくてもコンピュータを閉めることができるために十分に細いものである。実施形態の変形において、平行六面体の下面4も、同じくそのような紐を外側の角に含むことができうる。
【００３５】
上面の下部に位置するスライド紐3は、コンピュータにケースを固定する時のケースの裂け目を避けるためのものである。
【００３６】
スライドは画面下にベルトが位置しないように、またその結果ベルトが使用者への画面の見える範囲を妨げないようにベルトを調節するためのものである。
【００３７】
カバーおよびキャリング装置は、カバーおよびキャリング装置を垂直の位置に置くことができるように、側面8のスペース部および外側上に位置するゴムパッドのような保護および強化ゾーンを同じく有する。
【００３８】
下面4および上面6は互いにかかる上部に、取手36の外側部を伸ばすことができ、携帯用コンピュータを手で容易に持運びができるようにスライド式取手36を含む。取手36は面の裏面に組込むことで引込ませることができ、かくして目立たず、カバーおよびキャリング装置の美的外観を保つことができる。図１において、取手は下面4上では引込んでいる状態、また上面6上では出ている状態で表されている。なおまた図1および２に見られるように、下面4は限定されない例として二つの直線で平行なスライド溝40を有する。携帯用コンピュータの厚さを収容できる固定スライドベルト42（図１ａ参照）は二つのスライド溝の中を滑る。スライドベルト42は環状に締められる。かくしてスライドベルト42の一部は下面4の上に現れ、またスライドベルト42の一部は同下面4の下に位置する。ベルト42はスライドベルトが伸びてベルトが収容すべきコンピュータのサイズおよび形に適応できるように、ゴム部44を含む。
【００３９】
図に見えるように、二つのスライド溝40は下面4の高さ全てにほぼ伸び、これによりベルトがコンピュータのポートや差込み口へのアクセスを妨げない位置にベルトを調節できる。使用者が携帯用コンピュータ使用時と同じ位置にベルトを維持しつつ、携帯用コンピュータを閉めることができるようにベルトは好ましくは十分に細くする。
【００４０】
図３には本発明のカバーおよびキャリング装置を構成する様々な層の分解図をあげた。この図でわかるように、装置は6つの異なる層、すなわち外革層46、内革層48、紐を通す薄いプレート層50、裂け目防止の蝶番を形成する柔軟補強材54により分かれている二枚の強化プレート層52により形成されている。
【００４１】
なおまた二枚の強化プレート層52および外革層46の内側の間には、下部保護の薄いプレート層が置かれており、紐を通す薄いプレート層50と二枚の強化プレート層52の間には上部保護の薄いプレートが置かれている。
【００４２】
この図でわかるように、取手36のそれぞれは、より大きな幅の端62で終わる二つの枝状60を含む。枝状60はくぼみ64に挿入され、その中においてかかる枝状は取手36を入れたり出したりできるように滑ることができる。くぼみ64は端62をくぼみ64に留めるために、狭い部分66を呈する。
【００４３】
保護の薄いプレート層56および58の機能は、取手の出し入れ操作時に、取手の外側にかかる圧力により起こる例えば革46および48の外部装の損耗および変形を防ぐためのものである。プレート58の機能はまた、取手の出し入れ操作の際、ゴム部44がはがされる損耗を防ぐためである。なおまた取手のところには、例えばグラスファイバー68の薄い強化棒が用意されており、その機能は取手36を手に持つ際に、コンピュータの重さによって起こる変形を防ぐため取手36を強化するものである。
【図面の簡単な説明】
【００４４】
【図１】図１は発明に一致する携帯用コンピュータ用カバーおよびキャリング装置の正面図である。
【図１ａ】図１ａはスライドベルトの詳細図である。
【図２】図２は図１において表されたカバーおよびキャリング装置の背面三分の四図である。
【図３】図３は発明のカバーおよびキャリング装置の分解斜視図である。
【図１】
2009515245.tif 000003
【図１ａ】
2009515245.tif 000004
【図２】
2009515245.tif 000005
【図３】
2009515245.tif 000006
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
コンピュータ外側面を覆う下面 (4) および上面 (6) から形成され、側面 (8) で曲がる携帯用コンピュータ用のカバーおよびキャリング装置であって、前記面の少なくともいずれかがコンピュータの厚さを収容でき、前記面の一面または両面を、その開閉時の動きに合わせて外側面に常に固定保存できる固定ベルトを含むことを特徴とする携帯用コンピュータ用のカバーおよびキャリング装置。
【請求項２】
固定ベルトはスライドベルトで、場合によっては全体または一部がゴムであることを特徴とする請求項１記載の装置。
【請求項３】
下面 (4) および上面 (6) はスライド溝 (40) を有し、そこにスライドベルト (42) が通され、スライドベルトは面の外側上に見える一部と前記面に組込まれる一部を残すように、また裏面の外側に見えないように場合によっては環状に締められることを特徴とする請求項１または２記載の装置。
【請求項４】
コンピュータ外側面を覆う下面 (4) および上面 (6) から形成され、側面 (8) で曲がる携帯用コンピュータ用のカバーおよびキャリング装置で、下面 (4) および上面 (6) スライド溝 (40) を含み、その中にスライドベルトが組込まれ (42)、前記スライド溝 (40) は携帯用コンピュータの様々な機能、例えば画面、ポート、キーボードのキー、マウスに自由にアクセスできるように、それらがモデルにより異なる配置であっても、スライドによってベルトの希望位置を適切な高さに調節するため、場合によっては直線で双方が平行しており、スライドベルトは場合によっては環状に閉められていることを特徴とする携帯用コンピュータ用のカバーおよびキャリング装置。
【請求項５】
側面 (8) が、コンピュータ後ろに位置する接続およびポートへのアクセスを可能さしめる開口部 （10） を少なくとも一つ有することを特徴とする前記の請求項のいずれかに記載の装置。
【請求項６】
コンピュータ外側面を覆う下面 (4) および上面 (6) から形成され、側面 (8) で曲がる携帯用コンピュータ用のカバーおよびキャリング装置で、コンピュータプロセッサーの適切な換気ができるよう、また側面 (12, 14) および開閉位置にかかわらずコンピュータの異なる機能に自由にアクセスできることを保証するために前記面が平面であることを特徴とし、またコンピュータ後ろに位置する接続およびポートへのアクセスを可能さしめる少なくとも一つの開口部 (10) を有することを特徴とする携帯用コンピュータ用のカバーおよびキャリング装置。
【請求項７】
下面 (4) および上面 (6) が平面で、いくつもの層を有し、層の幾つかは切取られることが可能なことを特徴とする、前述の請求項のいずれかに記載の装置。
【請求項８】
下面もしくは上面が、開閉時のいずれの位置においてもコンピュータ外側面上に下面 (4) および上面 (6) を維持する固定システムを有することを特徴とする請求項６記載の装置。
【請求項９】
下面もしくは上面が固定システムを有し、コンピュータの開閉が前記固定システムに触れることなく、またそれをずらす必要なく行えるように場合によっては十分に細いベルトを有することを特徴とする請求項６記載の装置。
【請求項１０】
固定システムが、前記のいずれかの請求項に規定されていることを特徴とする請求項８もしくは９記載の装置。
【請求項１１】
下面が少なくとも一つの換気ゾーン (22) もしくはコンピュータプロセッサーの空気の通過および冷却を可能さしめる空気の到達路を有することを特徴とする前記の請求項のいずれかに記載の装置。
【請求項１２】
換気ゾーンもしくは空気の到達路が下面の表面を切抜くことにより形作られたことを特徴とする請求項１１記載の装置。
【請求項１３】
取手 (36) を有し、前記取手が場合によっては平面な形をしており、面の平らな外観を維持し、下面 (4) に置かれるコンピュータの安定性を保つため、場合によっては面と同じ厚さであることを特徴とする前記の請求項のいずれかに記載の装置。
【請求項１４】
他の外側の厚さを得ないため、面と同じ部分に実現された取手 (36) を有することを特徴とする請求項１３記載の装置。
【請求項１５】
層 (52) の一つが取手 (36) の挿入のために少なくとも一つのくぼみ (64) を有することを特徴とする請求項１３記載の装置。
【請求項１６】
取手が、面につながった取手を維持するために取手を挿入されるくぼみの口 (66) よりもより広い端 (62) を有することを特徴とする請求項１３から１５記載の装置。
【請求項１７】
面の層の一つの中に挿入可能な閉留システムを有することを特徴とする前記の請求項のいずれかに記載の装置。
【国際調査報告】
2009515245.tif 000007
2009515245.tif 000008
2009515245.tif 000009
2009515245.tif 000010